(57)【要約】      （修正有）【課題】組み立て式炊飯かまどを組立時に搭載したままで、移動が容易な運搬用台車を提供する。【解決手段】運搬用台車１は、炊飯かまど１３が載置される底板２と、底板２の下面２１に配設されるキャスター３と、底板２の上面２２に止着され炊飯かまど１３の径方向の外側に突出する連結部１７が嵌入される嵌入部４と、底板２の中央部に配設された空気孔と、を備えている。底板２の一側に、手押し用ハンドル６を支持する支持部材７を配設して、支持部材７には、手押し用ハンドル６を着脱可能に配設する。嵌入部４を、底板２の上面２２から上方に延びる板状で、平面視において略コの字状に形成する。嵌入部４の内壁で組み立てた炊飯かまど１３の連結部１７の移動を周方向及び径方向で拘束する。【選択図】図１
0003161285.tif 000002
【実用新案登録請求の範囲】
【請求項１】
略円筒状に組み立てられ、周方向に複数の分割壁に分割されて、各該分割壁の周方向に沿った両端部に係合部が設けられて、隣り合う該係合部同士を係合させて径方向の外側又は内側に突出する連結部が形成される炊飯かまど、
を運搬する運搬用台車であって、
該炊飯かまどが載置される底板と、
該底板の下面に配設されるキャスターと、
該底板の上面に止着され、該炊飯かまどの連結部の下部が嵌入される複数の嵌入部と、
該底板の中央部に配設された空気孔と、を備えることを特徴とする運搬用台車。
【請求項２】
該嵌入部は、該底板の上面から上方に延びる板状で、平面視において略コの字状に形成されていることを特徴とする請求項１記載の運搬用台車。
【請求項３】
該底板の一側には、手押し用ハンドルを支持する支持部材が配設され、
該支持部材には、手押し用ハンドルが着脱可能に配設されていることを特徴とする請求項１又は２記載の運搬用台車。
【請求項４】
該底板の外周縁には、上方に延びる複数の側板が配設され、
該側板のいずれか一つには、加熱手段を配設可能な切り欠きが、該底板に向かって形成されていることを特徴とする請求項１、２又は３記載の運搬用台車。
【請求項５】
該底板の上面の中央部には、該加熱手段の移動を抑止する保持壁が、該底板の上面から上方に延びる板状で平面視において略コの字状に形成され、該切り欠きが形成された側に開口して配設されていることを特徴とする請求項４記載の運搬用台車。
【請求項６】
該底板には、手で把持可能な把持長孔が、少なくとも二つ、該把持長孔の長手方向を該底板の外周縁に沿わせて形成されていることを特徴とする請求項１、２、３、４又は５記載の運搬用台車。
【請求項７】
該底板の下面には、断面Ｌ字状で該底板の外周縁から下方に延設して、該側板と面一に形成される補助部材が、該底板の外周縁に沿って配設されていることを特徴とする請求項４、５又は６記載の運搬用台車。
【考案の詳細な説明】
【技術分野】
【０００１】
本考案は、組み立て式炊飯かまどの移動を容易にする運搬用台車に関するものである。
【背景技術】
【０００２】
従来、組立、運搬、収納を簡便に行なうことができる炊飯かまどとして、本出願人が出願した特許文献１に記載されたものがあった。これによると、炊飯かまどは、周方向に分割されて、少なくとも１つには加熱手段を挿入可能な挿入孔を開口させて、複数の分割壁を組み立てて構成されていた。各分割壁の周方向に沿った両端部には、係合部が設けられていた。複数の分割壁は、組立時に隣り合う係合部同士を周方向に沿って相互に分離不能な状態に係合させて、略筒状に連結されていた。
【先行技術文献】
【特許文献】
【０００３】
【特許文献１】特開２００２−２２１７４号公報
【考案の概要】
【考案が解決しようとする課題】
【０００４】
しかし、上記に示す従来の炊飯かまどは、災害発生時に使用されるものであり、平常時には、収納を優先してキャスター等が設けられておらず、組立設置後に動かす必要がある場合には、分割して移動させていた。そのため、再度の組立設置作業が必要となり、炊飯かまどを移動させるには、手間と時間がかかるおそれがあった。
【０００５】
本考案は、上記事情に鑑み、組み立て式炊飯かまどを組立時に搭載して、移動が容易となる運搬用台車を提供することを目的とする。
【課題を解決するための手段】
【０００６】
請求項１記載の考案の運搬用台車では、略円筒状に組み立てられ、周方向に複数の分割壁に分割されて、各該分割壁の周方向に沿った両端部に係合部が設けられて、隣り合う該係合部同士を係合させて径方向の外側又は内側に突出する連結部が形成される炊飯かまど、
を運搬する運搬用台車であって、
該炊飯かまどが載置される底板と、
該底板の下面に配設されるキャスターと、
該底板の上面に止着され、該炊飯かまどの連結部の下部が嵌入される複数の嵌入部と、
該底板の中央部に配設された空気孔と、を備えることを特徴とする。
【０００７】
請求項２記載の考案の運搬用台車では、該嵌入部は、該底板の上面から上方に延びる板状で、平面視において略コの字状に形成されていることを特徴とする。
【０００８】
請求項３記載の考案の運搬用台車では、該底板の一側には、手押し用ハンドルを支持する支持部材が配設され、該支持部材には、手押し用ハンドルが着脱可能に配設されていることを特徴とする。
【０００９】
請求項４記載の考案の運搬用台車では、該底板の外周縁には、上方に延びる複数の側板が配設され、該側板のいずれか一つには、加熱手段を配設可能な切り欠きが、該底板に向かって形成されていることを特徴とする。
【００１０】
請求項５記載の考案の運搬用台車では、該底板の上面の中央部には、該加熱手段の移動を抑止する保持壁が、該底板の上面から上方に延びる板状で平面視において略コの字状に形成され、該切り欠きが形成された側に開口して配設されていることを特徴とする。
【００１１】
請求項６記載の考案の運搬用台車では、該底板には、手で把持可能な把持長孔が、少なくとも二つ、該把持長孔の長手方向を該底板の外周縁に沿わせて形成されていることを特徴とする。
【００１２】
請求項７記載の考案の運搬用台車では、該底板の下面には、断面Ｌ字状で該底板の外周縁から下方に延設して、該側板と面一に形成される補助部材が、該底板の外周縁に沿って配設されていることを特徴とする。
【考案の効果】
【００１３】
請求項１記載の考案では、炊飯かまどの径方向の外側又は内側に突出する連結部の下部が嵌入される複数の嵌入部を底板の上面に止着している。これにより、炊飯かまどを組立てて運搬用台車に搭載した時に、嵌入部で、炊飯かまどを拘束して、搭載状態を安定させることができるので、炊飯かまどの移動を容易にすることができる。
【００１４】
請求項２記載の考案では、嵌入部を、底板の上面から上方に延びる板状で、平面視において略コの字状に形成している。これにより、炊飯かまどを運搬用台車に搭載した時に、嵌入部の内壁で、組み立てた炊飯かまどの連結部の移動を周方向及び径方向で拘束するので搭載状態を安定させることができる。また、分割壁を連結させて炊飯かまどを組み立てる際に、係合部を順に嵌入させることができ、係合部の位置決めのガイドの役割を果たすことができるので、組み立て時の作業を容易にすることができる。
【００１５】
請求項３記載の考案では、底板の一側に、手押し用ハンドルを支持する支持部材を配設して、支持部材に、手押し用ハンドルを着脱可能に配設している。これにより、収納時に手押し用ハンドルを底板から取り外せるので、収納スペースを少なくすることができる。
【００１６】
請求項４記載の考案では、底板の外周縁に、上方に延びる複数の側板を配設して、側板のいずれか一つに、加熱手段を配設可能な切り欠きを、底板に向かって形成している。これにより、加熱手段を配設する際に、側板と干渉しなくなるので、加熱手段の配設作業を迅速にすることができる。
【００１７】
請求項５記載の考案では、底板の上面の中央部に、加熱手段の移動を抑止する保持壁を、底板の上面から上方に延びる板状で平面視において略コの字状に形成して、切り欠きが形成された側に開口させて配設している。これにより、加熱手段の位置決めを容易にするとともに、運搬用台車を移動させる際の振動で加熱手段が移動するのを保持壁の内壁で拘束するので、加熱手段の移動を抑止することができる。
【００１８】
請求項６記載の考案では、底板に、手で把持可能な把持長孔を、少なくとも二つ、把持長孔の長手方向を底板の外周縁に沿わせて形成している。これにより、組立、運搬、収納時に手で把持しやすくなり、力の弱い者でも容易に持ち運ぶことができるので、作業性を高めることができる。
【００１９】
請求項７記載の考案では、底板の下面に、断面Ｌ字状で該底板の外周縁から下方に延設して、側板と面一に形成される補助部材を、底板の外周縁に沿って配設している。これにより、底板の歪み、撓みを防止するとともに、収納時、運搬時に底板を立てた状態にして、側板及び補助部材を設置面に当接させて不倒状態にすることができるので、収納スペースを少なくすることができる。
【図面の簡単な説明】
【００２０】
【図１】本考案の第１の実施形態の運搬用台車の炊飯かまどを載置した状態の斜視図である。
【図２】本考案の第１の実施形態の運搬用台車の平面図である。
【図３】本考案の第１の実施形態の運搬用台車の背面図である。
【図４】本考案の第１の実施形態の嵌入部及び連結部の部分拡大図である。
【図５】本考案の第１の実施形態の運搬用台車に炊飯かまど及び加熱手段を載置した状態図であり、炊飯かまどの周壁をテーパ状と仮定して表した図である。
【図６】本考案の第１の実施形態の運搬用台車の収納時の状態図である。
【図７】本考案の第２の実施形態の嵌入部及び連結部の部分拡大図である。
【考案を実施するための形態】
【００２１】
本考案の運搬用台車の第１の実施形態について図面に基づいて説明する。以下の説明では、後述する底板２の下面２１側を下とし、底板２の上面２２側を上とする。後述する支持部材７が配設された側を後ろとし、その反対側を前とする。
【００２２】
運搬用台車（以下、「台車」という。）１は、図１に示すように、搭載物が載置される底板２と、底板２の下面２１に配設されるキャスター３と、図２に示すように、底板２の上面２２に止着され、後述する炊飯かまど１３の径方向の外側に突出する連結部１７が嵌入される嵌入部４と、底板２の中央部に配設された空気孔５と、を備えている。図１に示すように、底板２の一側には、手押し用ハンドル６を支持する支持部材７が配設され、支持部材７には、手押し用ハンドル６が着脱可能に配設されている。
【００２３】
底板２は、図２に示すように、金属製の平板で平面視において正方形の四隅の角を切り取った八角形状に形成されている。底板２の外周縁には、図１、２、３に示すように、上方に延びる側板８（８１、８２、８３、８４、８５、８６、８７、８８）がそれぞれ配設されている。
【００２４】
図１、３に示すように、底板２の前側の側板８１、８２、８３、８４、８５は、底板２から同じ高さに形成されている。底板２の後ろ側の側板８６、８７は、図３に示すように、前側から後ろ側に向かって上昇するように延びて形成されている。側板８８は、図３に示すように、水平方向における中央部に、後述する加熱手段３１としてのガスバーナを配設可能な切り欠き９が、底板２に向かって形成されている。
【００２５】
底板２の下面２１の四隅には、図１、３に参照するように、下方向に突出する箱状の台座部３０が設けられている。台座部３０を介して、キャスター３は、底板２の四か所に上下方向を軸にして回動可能に止着されている。
【００２６】
底板２の中央部分には、図２に示すように、空気を排気又は吸気する空気孔５が配設されている。空気孔５は、打ち抜き加工によって形成されている。
【００２７】
底板２の上面２２の中央部には、図２、５に示すように、加熱手段３１の移動を抑止する保持壁１０が、底板２の上面２２から上方に延びる板状で平面視において略コの字状に形成され、切り欠き９が形成された側に開口して配設されている。
【００２８】
底板２には、図２に示すように、手で把持可能な把持長孔１１が二つ、把持長孔１１の長手方向を底板２の外周縁の側板８４、８５を有する部位に沿わせて形成されている。把持長孔１１は、打ち抜き加工によって形成されている。
【００２９】
底板２の下面２１には、図１、３に示すように、底板２の外周縁の側板８１、８４、８５、８８を有する部位から下方に延設する補助部材１２が、底板２の外周縁の側板８１、８４、８５、８８を有する部位に沿って配設されている。補助部材１２は、断面Ｌ字状に形成されたアングル部材（等辺山形鋼）が用いられ、一方の辺の外面１２１で底板２の下面２１に装着されている。他方の辺の外面１２２は、側板８１、８４、８５、８８と面一に形成されている。
【００３０】
手押し用ハンドル６は、図１、３に示すように、金属製のパイプで略コの字状に形成されている。手押し用ハンドル６の上下方向の略中央部には上下方向に直交して横梁６１が配設されている。手押し用ハンドル６の二本の脚の下端部分には、後述する支持部材７に挿入される挿入部６２がそれぞれ配設されている。挿入部６２は、後述する支持部材７に対応した角筒状に形成されている。
【００３１】
支持部材７は、図１、２、３に示すように、底板２の後ろ側に二つ配設されている。支持部材７は、金属製で手押し用ハンドル６の挿入部６２が挿入可能な角筒状に形成され、側板８８及び補助部材１２に止着されている。支持部材７の下端面７１には、中央部にゴミがたまるのを防止する穴が形成された板が配設されている。
【００３２】
嵌入部４は、図２、４に示すように、底板２の上面２２から上方に延びる板状で、平面視において略コの字状に形成され、底板２の中央部側に開口して配設されている。嵌入部４は、後述する炊飯かまど１３の径方向の外側に突出する連結部１７の下部が嵌入できるように配設されている。
【００３３】
図４に示すように、嵌入部４の内壁４１は、後述する雌型の係合部１９の第２屈曲部１９ｃと当接可能に形成されている。嵌入部４の内壁４２は、後述する雌型の係合部１９の第１屈曲部１９ｂと当接可能に形成されている。嵌入部４の内壁４３は、雌型の係合部１９の元部１９ａと当接可能に形成されている。
【００３４】
炊飯かまど１３は、図１、２に示すように、略円筒状として、炊飯かまど１３を周方向に三分割したような３枚の湾曲状の分割壁１４１、１４２、１４３から構成されている。なお、各分割壁１４１、１４２、１４３は、金属製の板を曲げ加工して形成されている。
【００３５】
分割壁１４３には、図１に示すように、中央下部に加熱手段３１としてのガスバーナを挿入させる挿入孔１５が形成されている。各分割壁１４１、１４２には図１に示すように、空気孔１６が適宜設けられている。分割壁１４１、１４２、１４３の外形は、略同一サイズ、略同一形状に形成されている。
【００３６】
各分割壁１４１、１４２、１４３では、図２、４に示すように、組立完了時の平面視の状態における炊飯かまど１３の中心Ｏを基準に、左回転方向先端に位置する一方の端部Ｌに雄型の係合部１８が形成され、右回転方向先端に位置する他方の端部Ｒに雌型の係合部１９が形成されている。
【００３７】
雄型の係合部１８は、図４に示すように、各分割壁１４１、１４２、１４３の端部Ｌから炊飯かまど１３の径方向の外側へ突出して、平面視における断面が略Ｊ字状に形成されている。雄型の係合部１８は、炊飯かまど１３の径方向の外側へ突出するとともに、炊飯かまど１３の軸方向に沿って略板形状に延設された元部１８ａと、元部１８ａの突端から各分割壁１４１、１４２、１４３の端部Ｒ側に屈曲しつつ、炊飯かまど１３の周方向に沿って延設された屈曲部１８ｂと、屈曲部１８ｂの突端から炊飯かまど１３の径方向の内側へ突出する係止片部１８ｃと、を備えて構成されている。
【００３８】
雌型の係合部１９は、各分割壁１４１、１４２、１４３の端部Ｒから炊飯かまど１３の径方向の外側へ突出して、平面視における断面が略逆Ｇ字状に形成されている。雌型の係合部１９は、炊飯かまど１３の径方向の外側へ突出するとともに、炊飯かまど１１の軸方向に沿って略板形状に延設された元部１９ａと、元部１９ａの突端から隣接する各分割壁１４１、１４２、１４３の端部Ｌ側に屈曲しつつ、炊飯かまど１３の周方向に沿って延設された第１屈曲部１９ｂと、第１屈曲部１９ｂの突端から炊飯かまど１３の径方向の内側に延設された第２屈曲部１９ｃと、第２屈曲部１９ｃの突端から炊飯かまど１３の周方向に沿って元部１９ａ側に略板形状に延びた第３屈曲部１９ｄと、第３屈曲部１９ｄの突端から炊飯かまど１３の径方向の外側へ延設された係止片部１９ｅと、を備えて構成されている。
【００３９】
雌型の係合部１９における元部１９ａ、第１屈曲部１９ｂ、第２屈曲部１９ｃに囲まれた内周部位１９ｆは、雄型の係合部１８を嵌合可能な形状に設定されている。雌型の係合部１９の第２屈曲部１９ｃ、第３屈曲部１９ｄ、係止片部１９ｅに囲まれた内周部位１９ｇは、雄型の係合部１８の係止片部１８ｃを嵌合可能な形状に設定されている。
【００４０】
さらに、雌型の係合部１９の係止片部１９ｅの周囲における元部１９ａ、第１屈曲部１９ｂ、第２屈曲部１９ｃとの隙間は、雄型の係合部１８の係止片部１８ｃと屈曲部１８ｂとを、係止片部１９ｅと元部１９ａとの開口から挿入可能な寸法とされている。
【００４１】
本実施形態の台車１の使用方法を説明する。手押し用ハンドル６の挿入部６２を支持部材７に挿入して下端面７１に配設された板と当接させる。そして、図示しないボルト等で支持部材７に手押し用ハンドル６を止着する。炊飯かまど１３の各分割壁１４１、１４２、１４３のうちの一枚の雄型の係合部１８を嵌入部４の位置に合わせて配置する。各分割壁１４１、１４２、１４３のうちの他の一枚の雌型の係合部１９を同じ嵌入部４に配置させる。雌型の係合部１９の内周部位１９ｆ、内周部位１９ｇに雄型の係合部１８を上方向から嵌入して炊飯かまど１３の連結部１７を形成する。それを繰り返して組み立てることで略筒状の炊飯かまど１３が形成される。本実施形態では、図１に示すように、切り欠き９が形成されている後ろ側に挿入孔１５を有する分割壁１４３を配置して、前側に分割壁１４１、１４２を配置している。分割壁１４３の挿入孔１５から加熱手段３１としてのガスバーナを挿入させる。図５に示すように、ガスバーナの炎噴射口３２が保持壁１０の内側に入るように配置する。炊飯かまど１３が完成したら鍋５１を上端部に載せるとともに、ガスの配管をして炊き出しを行なう。
【００４２】
本実施形態の台車１では、炊飯かまど１３の径方向の外側に突出する連結部１７の下部が嵌入される三つの嵌入部４を底板２の上面２２に止着している。これにより、炊飯かまど１３を組立てて台車１に搭載した時に、嵌入部４で、組み立てた炊飯かまど１３を拘束して、搭載状態を安定させることができるので、炊飯かまど１３の移動を容易にすることができる。
【００４３】
また、嵌入部４を、底板２の上面２２から上方に延びる板状で、平面視において略コの字状に形成している。これにより、炊飯かまど１３を台車１に搭載した時に、嵌入部４の内壁４１を雌型の係合部１９の第２屈曲部１９ｃと当接可能に、嵌入部４の内壁４２を雌型の係合部１９の第１屈曲部１９ｂと当接可能に、嵌入部４の内壁４３を雌型の係合部１９の元部１９ａと当接可能になる。よって、組み立てた炊飯かまど１３の連結部１７の周方向の移動を嵌入部４の内壁４１、４３で、径方向の移動を嵌入部４の内壁４２で、拘束するので搭載状態を安定させることができる。また、各分割壁１４１、１４２、１４３を連結させて炊飯かまど１３を組み立てる際に、各雄型の係合部１８及び雌型の係合部１９を順に嵌入させることができ、炊飯かまど１３の各雄型の係合部１８及び雌型の係合部１９の位置決めのガイドの役割を果たすことができるので、組み立て時の作業を容易にすることができる。
【００４４】
また、底板２の一側に、手押し用ハンドル６を支持する支持部材７を配設して、支持部材７に、手押し用ハンドル６を着脱可能に配設している。これにより、収納時に手押し用ハンドル６を底板２から取り外せるので、収納スペースを少なくすることができる。
【００４５】
また、側板８８に、加熱手段３１を配設可能な切り欠き９を、底板２に向かって形成している。これにより、加熱手段３１を配設する際に、側板８８と干渉しなくなるので、加熱手段３１の配設作業を迅速にすることができる。
【００４６】
また、底板２の上面２２の中央部に、加熱手段３１の移動を抑止する保持壁１０を、底板２の上面２２から上方に延びる板状で平面視において略コの字状に形成して、切り欠き９が形成された側に開口させて配設している。これにより、加熱手段３１の位置決めを容易にするとともに、台車１を移動させる際の振動で加熱手段３１が移動するのを保持壁１０の内壁で拘束するので、加熱手段３１の移動を抑止することができる。
【００４７】
また、底板２に、手で把持可能な把持長孔１１を二つ配設して、把持長孔１１の長手方向を底板２の外周縁に沿わせて形成している。これにより、組立、運搬、収納時に手で把持しやすくなり、力の弱い者でも容易に持ち運ぶことができるので、作業性を高めることができる。
【００４８】
底板２の下面２１に、短手方向における断面がＬ字状で底板２外周縁の側板８１、８４、８５、８８を有する部位から下方に突出して、側板８１、８４、８５、８８と面一に形成される補助部材１２を底板２の外周縁に沿って配設している。これにより、底板２の歪み、撓みを防止するとともに、図６に示すように、収納時、運搬時に底板２を立てた状態にして、側板８及び補助部材１２を設置面に当接させて不倒状態にすることができるので、収納スペースを少なくすることができる。
【００４９】
本考案の運搬用台車の第２の実施形態を図面に基づいて説明する。以下の説明以外の構成は第１の実施形態と、同様のものとする。台車１Ａの嵌入部４Ａは、図７に示すように、平面視において略コの字状に形成され底板２の外周縁部側に開口して配設されている。嵌入部４Ａは、複数の分割壁１４１Ａ、１４２、１４３を略筒状に連結させて組み立てられる炊飯かまど１３Ａの、径方向の内側に突出する連結部１７Ａの下部が嵌入できるように配置されている。図２に参照する、組立完了時の平面視の状態における炊飯かまど１３Ａの中心Ｏを基準に、左回転方向先端に位置する一方の端部Ｌに雌型の係合部１９Ａが形成され、右回転方向先端に位置する他方の端部Ｒに雄型の係合部１８Ａが形成されている。雄型の係合部１８Ａと雌型の係合部１９Ａは、第１の実施形態のものと屈曲する方向が逆となること以外は同様であるので詳細な説明を省略する。
【００５０】
本実施形態の台車１Ａでは、炊飯かまど１３Ａの連結部１７Ａを径方向の内側に突出させている。これにより、図７に示すように、炊飯かまど１３Ａを台車１Ａに搭載した時に、嵌入部４Ａの内壁４１Ａを雌型の係合部１９Ａの第２屈曲部１９ｃと当接可能に、嵌入部４Ａの内壁４２Ａを雌型の係合部１９Ａの第１屈曲部１９ｂと当接可能に、嵌入部４Ａの内壁４３Ａを雌型の係合部１９Ａの元部１９ａと当接可能になる。よって、組み立てた炊飯かまど１３Ａの連結部１７Ａの周方向の移動を嵌入部４Ａの内壁４１Ａ、４３Ａで、径方向の移動を嵌入部４Ａの内壁４２Ａで、拘束するので搭載状態を安定させることができる。
【００５１】
また、加熱手段３１として、木材、木炭等を用いることができる。この場合、空気孔５は、吸気口として機能する。
【００５２】
また、キャスター３は、底板２の下面２１に直接装着することもできる。
【００５３】
また、切り欠き９は、加熱手段３１の配設状態に応じて側板８８以外の側板８に設けることができる。切り欠き９に対応させて保持壁１０を、切り欠き９が形成された側に開口して配設することもできる。
【００５４】
また、把持長孔１１を三つ以上配設することもできる。
【符号の説明】
【００５５】
１、１Ａ  運搬用台車
２  底板
２１  下面
２２  上面
３  キャスター
４、４Ａ  嵌入部
５  空気孔
６  手押し用ハンドル
７  支持部材
８  側壁
９  切り欠き
１０  保持壁
１１  把持長孔
１２  補助部材
１３、１３Ａ  炊飯かまど
１４１、１４２、１４３  分割壁
１７、１７Ａ  連結部
１８、１８Ａ  雄型の係合部
１９、１９Ａ  雌型の係合部
２１  上面
２２  下面
３１  加熱手段
【図１】
0003161285.tif 000003
【図２】
0003161285.tif 000004
【図３】
0003161285.tif 000005
【図４】
0003161285.tif 000006
【図５】
0003161285.tif 000007
【図６】
0003161285.tif 000008
【図７】
0003161285.tif 000009
【手続補正書】
【提出日】平成22年5月19日(2010.5.19)
【手続補正１】
【補正対象書類名】実用新案登録請求の範囲
【補正対象項目名】全文
【補正方法】変更
【補正の内容】
【実用新案登録請求の範囲】
【請求項１】
略円筒状に組み立てられ、周方向に複数の分割壁に分割されて、各該分割壁の周方向に沿った両端部に係合部が設けられて、隣り合う該係合部同士を係合させて径方向の外側又は内側に突出する連結部が形成される炊飯かまど、
を運搬する運搬用台車であって、
該炊飯かまどが載置される底板と、
該底板の下面に配設されるキャスターと、
該底板の上面に止着され、該炊飯かまどの連結部の下部が嵌入される複数の嵌入部と、
該底板の中央部に配設された空気孔と、を備えることを特徴とする運搬用台車。
【請求項２】
該嵌入部は、該底板の上面から上方に延びる板状で、平面視において略コの字状に形成されていることを特徴とする請求項１記載の運搬用台車。
【請求項３】
該底板の一側には、手押し用ハンドルを支持する支持部材が配設され、
該支持部材には、手押し用ハンドルが着脱可能に配設されていることを特徴とする請求項１又は２記載の運搬用台車。
【請求項４】
該底板の外周縁には、上方に延びる複数の側板が配設され、
該側板のいずれか一つには、加熱手段を配設可能な切り欠きが、該底板に向かって形成されていることを特徴とする請求項１、２又は３記載の運搬用台車。
【請求項５】
該底板の上面の中央部には、該加熱手段の移動を抑止する保持壁が、該底板の上面から上方に延びる板状で平面視において略コの字状に形成され、該切り欠きが形成された側に開口して配設されていることを特徴とする請求項４記載の運搬用台車。
【請求項６】
該底板には、手で把持可能な把持長孔が、少なくとも二つ、該把持長孔の長手方向を該底板の外周縁に沿わせて形成されていることを特徴とする請求項１、２、３、４又は５記載の運搬用台車。
【請求項７】
該底板の下面には、断面Ｌ字状で該底板の外周縁から下方に延設して、該側板と面一に形成される補助部材が、該底板の外周縁に沿って配設されていることを特徴とする請求項４又は５記載の運搬用台車。